(57)【要約】【課題】本発明は、屈曲被覆部がしわ状になるおそれが少なく足の屈曲部に食い込み難いものであって、見栄えが悪くなるおそれのない靴下の提供を目的とする。【解決手段】弾性糸９５は、ベース糸９１により編成した筒状体からなる編地本体９のコース編目列９４に沿わされるとともに、編地本体９の軸方向に所定距離を隔てて複数の弾性糸９５の列を形成するように編地本体９に配設されている。又、屈曲被覆部５におけるコース編目列９４の軸方向の数に対する弾性糸９５の列の数の割合が、足首被覆部におけるその割合よりも小さくなるように構成されている。【選択図】図３
2011094250.tif 000002
【特許請求の範囲】
【請求項１】
ベース糸で編成した編地本体に弾性糸が配設された編地を有する靴下であって、
足首の少なくとも一部を覆う足首被覆部と、足の甲と前記足首との間に形成される足の屈曲部を覆う屈曲被覆部とを備え、
前記足首被覆部及び屈曲被覆部は、前記編地によって形成されているとともに、前記屈曲被覆部は、前記編地の弾性糸による編地弾性力を弱くさせる編地弾性力弱化手段によって前記足首被覆部よりも前記編地弾性力が弱くなるように構成されていることを特徴とする靴下。
【請求項２】
前記編地本体は、筒状体から構成され、
前記弾性糸は、前記筒状体の周方向に沿わせるようにして、前記筒状体の軸方向に所定距離を隔てて複数の弾性糸の列を形成するように前記編地本体に配設され、
前記編地弾性力弱化手段は、前記屈曲被覆部における隣接する２つの列の弾性糸同士の距離が、前記足首被覆部における前記距離よりも広くなるように構成されていることを特徴とする請求項１記載の靴下。
【請求項３】
前記編地本体は、筒状体から構成されているとともに、周方向に編目を並ばせるようにして形成されたコース編目列が軸方向に複数の列をなしており、
前記弾性糸は、前記コース編目列に沿わせるようにして、前記筒状体の軸方向に所定距離を隔てて複数の弾性糸の列を形成するように前記編地本体に配設され、
前記編地弾性力弱化手段は、前記屈曲被覆部における前記コース編目列の軸方向の列の数に対する前記弾性糸の列の数の割合が、前記足首被覆部における前記割合よりも小さくなるように構成されていることを特徴とする請求項１又は２記載の靴下。
【請求項４】
前記弾性糸として、強弾性糸と、その強弾性糸が有する糸弾性力よりも弱い糸弾性力を有する弱弾性糸とが用いられ、
前記編地弾性力弱化手段は、前記足首被覆部に前記強弾性糸を、前記屈曲被覆部に前記弱弾性糸を、夫々、配設するように構成されていることを特徴とする請求項１〜３のいずれか一項に記載の靴下。
【請求項５】
前記靴下は、ふくらはぎを覆うふくらはぎ被覆部を備えているとともに、前記足首被覆部側からふくらはぎ被覆部側に漸次、上記編地弾性力が弱くなるように構成されていることを特徴とする請求項１〜４のいずれか一項に記載の靴下。
【発明の詳細な説明】
【技術分野】
【０００１】
本発明は、靴下、より詳しくは、ベース糸を編んだ編地本体に弾性糸を配設した編地を有する靴下に関するものである。
【背景技術】
【０００２】
従来から、例えば足首からふくらはぎ側に向かって漸次、着用時の着圧を減少させることによって、ふくらはぎから足首への静脈血のスムーズな還流を可能とした、いわゆる弾力性靴下が知られている。このような弾力性靴下において、甲と足首との間の屈曲部を覆う屈曲被覆部を、足首被覆部における弾性力とほぼ同じ弾性力を有するものに形成すると、着用時に、屈曲被覆部がしわ状になって屈曲被覆部が足の屈曲部に食い込んでしまう。このように屈曲被覆部が足の屈曲部に食い込んでしまうと足の屈曲部の血行が悪くなるおそれが生じ、その結果、ふくらはぎから足首への静脈血のスムーズな還流が可能になっても、足首から足の屈曲部、更には足先への還流を損なうおそれが生じてしまう。
【０００３】
一方、特許文献１に、距腿関節部（屈曲部）の内側を足甲部の屈伸時に距腿関節内側に皺を防止するためにパール編みとし、足甲部に常に足の甲部を予め定めた抱圧力（着圧）にて抱持するようにその周回方向に伸縮部を形成するようにした靴下が提案されている。
【先行技術文献】
【特許文献】
【０００４】
【特許文献１】特開平０７−１５０４０１号公報
【発明の概要】
【発明が解決しようとする課題】
【０００５】
しかしながら、上記のような弾力性靴下における屈曲被覆部を、足首被覆部と異なる編み方で編成して足首被覆部よりも弾性力を弱くしても、着用時に屈曲被覆部がしわ状にならない程に十分に弱くなり難く、その結果、屈曲被覆部が未だ足の屈曲部に食い込んでしまう。又、屈曲被覆部を足首被覆部と異なる編み方で編成すると見栄えの悪いものになってしまい、靴下としての価値を低下させるおそれがある。
【０００６】
本発明は、屈曲被覆部がしわ状になるおそれが少なく足の屈曲部に食い込み難いものであって、見栄えが悪くなるおそれのない靴下の提供を目的とする。
【課題を解決するための手段】
【０００７】
上記課題を解決するため、請求項１の発明は、ベース糸で編成した編地本体に弾性糸が配設された編地を有する靴下であって、足首の少なくとも一部を覆う足首被覆部と、足の甲と前記足首との間に形成される足の屈曲部を覆う屈曲被覆部とを備え、前記足首被覆部及び屈曲被覆部は、前記編地によって形成されているとともに、前記屈曲被覆部は、前記編地の弾性糸による編地弾性力を弱くさせる編地弾性力弱化手段によって前記足首被覆部よりも前記編地弾性力が弱くなるように構成されていることを特徴とする靴下である。
【０００８】
請求項２の発明は、請求項１の靴下において、前記編地本体は、筒状体から構成され、前記弾性糸は、前記筒状体の周方向に沿わせるようにして、前記筒状体の軸方向に所定距離を隔てて複数の弾性糸の列を形成するように前記編地本体に配設され、前記編地弾性力弱化手段は、前記屈曲被覆部における隣接する２つの列の弾性糸同士の距離が、前記足首被覆部における前記距離よりも広くなるように構成されていることを特徴とするものである。
【０００９】
請求項３の発明は、請求項１又は２の靴下において、前記編地本体は、筒状体から構成されているとともに、周方向に編目を並ばせるようにして形成されたコース編目列が軸方向に複数の列をなしており、前記弾性糸は、前記コース編目列に沿わせるようにして、前記筒状体の軸方向に所定距離を隔てて複数の弾性糸の列を形成するように前記編地本体に配設され、前記編地弾性力弱化手段は、前記屈曲被覆部における前記コース編目列の軸方向の列の数に対する前記弾性糸の列の数の割合が、前記足首被覆部における前記割合よりも小さくなるように構成されていることを特徴とするものである。
【００１０】
請求項４の発明は、請求項１〜３のいずれか一項の靴下において、前記弾性糸として、強弾性糸と、その強弾性糸が有する糸弾性力よりも弱い糸弾性力を有する弱弾性糸とが用いられ、前記編地弾性力弱化手段は、前記足首被覆部に前記強弾性糸を、前記屈曲被覆部に前記弱弾性糸を、夫々、配設するように構成されていることを特徴とするものである。
【００１１】
請求項５の発明は、請求項１〜４のいずれか一項の靴下において、前記靴下は、ふくらはぎを覆うふくらはぎ被覆部を備えているとともに、前記足首被覆部側からふくらはぎ被覆部側に漸次、上記編地弾性力が弱くなるように構成されていることを特徴とするものである。
【発明の効果】
【００１２】
本発明の請求項１によれば、屈曲被覆部は、編地の弾性糸による編地弾性力を弱くさせる編地弾性力弱化手段によって足首被覆部よりも編地弾性力が弱くなるように構成されている。
【００１３】
これにより、屈曲被覆部の編地弾性力を、足首被覆部の編地弾性力よりも十分に弱くでき、着用時に屈曲被覆部がしわ状になり難く足の屈曲部に食い込み難いものにできる。しかも、屈曲被覆部と足首被覆部とをベース糸で編成した編地本体と同じ編み方で形成でき、見栄えが悪くなるようなことを防止できる。
【００１４】
請求項２によれば、弾性糸は、筒状体の周方向に沿わせるようにして、筒状体の軸方向に所定距離を隔てて複数の弾性糸の列を形成するように編地本体に配設される。又、編地弾性力弱化手段は、屈曲被覆部における隣接する２つの列の弾性糸同士の距離が、足首被覆部におけるその距離よりも広くなるように構成される。
【００１５】
これにより、簡単な構成で、屈曲被覆部の編地弾性力を足首被覆部のそれよりも弱くできる。
【００１６】
請求項３によれば、弾性糸は、コース編目列に沿わせるようにして、筒状体の軸方向に所定距離を隔てて複数の弾性糸の列を形成するように編地本体に配設される。又、編地弾性力弱化手段は、屈曲被覆部におけるコース編目列の軸方向の列の数に対する弾性糸の列の数の割合が、足首被覆部におけるその割合よりも小さくなるように構成される。
【００１７】
例えばふくらはぎから足先まで覆う靴下を形成する場合には、ふくらはぎを覆うふくらはぎ被覆部側に設けた足挿入用の開口部から足首被覆部までの範囲にかけて、弾性糸の列を各コース編目列ごとにコース編目列と同じ数だけ配設し、一方、屈曲被覆部から足先を覆う足先被覆部までの範囲にかけて、弾性糸の列を、コース編目列に対して軸方向に１列おきに又は複数列おきに配設して、コース編目列の数よりも少なくなるようにする。これにより、屈曲被覆部の編地弾性力を足首被覆部のそれよりも弱くでき、編み機で容易に形成できる。
【００１８】
請求項４によれば、弾性糸として強弾性糸と弱弾性糸とが用いられ、編地弾性力弱化手段は、足首被覆部に強弾性糸を、屈曲被覆部に弱弾性糸を、夫々、配設するようにして構成される。
【００１９】
これにより、種類や太さの異なる弾性糸を用いて屈曲被覆部の編地弾性力を足首被覆部のそれよりも弱くでき、容易に形成できる。
【００２０】
請求項５によれば、靴下は、ふくらはぎを覆うふくらはぎ被覆部を備えるとともに、前記足首被覆部側からふくらはぎ被覆部側に漸次、編地弾性力が強くなるように構成されている。
【００２１】
これにより、足首からふくらはぎにかけて、血行促進を図りうる靴下における屈曲被覆部を、足首被覆部よりも編地弾性力が弱くなるように構成することにより、足の屈曲部の血行促進を図ることができる。その結果、足先からふくらはぎまでの血の還流を促進でき、血行促進を図ることができる。従って、血行促進を図りうる靴下として適したものにできる。
【図面の簡単な説明】
【００２２】
【図１】本発明の靴下の側面図である。
【図２】図１の靴下における足首被覆部の編組織の模式図である。
【図３】図１の靴下における屈曲被覆部の編組織の模式図である。
【図４】足首被覆部及び屈曲被覆部の着圧測定データをあらわした図表である。
【発明を実施するための形態】
【００２３】
以下、本発明を実施するための形態について、図面を参照しながら詳細に説明する。図１は、本発明の靴下の側面図、図２は、足首被覆部の編組織の模式図、図３は、屈曲被覆部の編組織の模式図である。
【００２４】
本実施形態の靴下１は、図１に示すように、足先からふくらはぎにかけての部分を覆うように構成されており、上端側に足を挿入する足挿入用の開口部１１を備えている。
【００２５】
又、靴下１は、ふくらはぎを覆うふくらはぎ被覆部２、足首を覆う足首被覆部３、足の甲を覆う甲被覆部４、足首と甲との間の足の屈曲部を覆う屈曲被覆部５、足先を覆う足先被覆部６、足の踵を覆う踵被覆部７、足の裏を覆う足裏被覆部８等を備えている。
【００２６】
屈曲被覆部５は、この実施形態では、図１中に点線で区画形成して表されているように、踵被覆部７を囲むように踵被覆部７の全周部に配設されているとともに、足のくるぶしから甲にかけての部分を覆う筒状を呈している。
【００２７】
また、上記ふくらはぎ被覆部２、足首被覆部３、甲被覆部４、屈曲被覆部５、足先被覆部６及び足裏被覆部８は、ベース糸を編んだ編地本体に、弾性糸（インレイ糸）を挿入したインレイ編によって形成された筒状の編地から構成されている。以下、図２、図３に基づいて、詳しく説明する。
【００２８】
ベース糸９１は、この実施形態では、７８デシテックスのナイロン糸を２本縒りあわせて形成したもの（ＮＹ７８ｄｔ／２）が用いられている。そして、このベース糸９１が編成されることによって、編地本体９が筒状体に形成されている。
【００２９】
又、ベース糸９１により形成された編地本体９は、編目９３が周方向（コース方向、図のＹ−Ｙ方向）に並んでコース編目列９４を形成している。また、このように形成されたコース編目列９４が、軸方向（ウエール方向、図のＸ−Ｘ方向）に複数の列をなした群からなるコース編目列群９０を形成している。
【００３０】
弾性糸９５は、この実施形態では、２３５デシテックスのポリウレタン糸に１３デシテックスのナイロン糸を２層に巻き付けたダブルカバードヤーン（ＤＣＹ２３５ｄｔ／１３ｄｔ／１３ｄｔ）が用いられている。尚、弾性糸９５は、上記ＤＣＹ２３５ｄｔ／１３ｄｔ／１３ｄｔに代えて、例えばＤＣＹ３１０ｄｔ／１３ｄｔ／１３ｄｔやＤＣＹ１５６ｄｔ／１３ｄｔ／１３ｄｔを用いることもできる。又、弾性糸９５は、ダブルカバードヤーン（ＤＣＹ）に限らず、例えば、シングルカバードヤーン（ＳＣＹ）、伸縮性のあるウーリー加工をしたナイロン糸、伸縮性のあるウーリー加工をしたポリエステル糸等を用いることもでき、適宜変更できる。
【００３１】
そして、この弾性糸９５は、編地本体９のコース方向に沿わせされるようにして、踵被覆部７を除くふくらはぎ被覆部２の上端から足先被覆部６の先端に至るまで、らせん状に配設されており、編地本体９のウエール方向に所定距離を隔てて複数の弾性糸の列を形成している。
【００３２】
又、屈曲被覆部５における隣接する２つの列の弾性糸９５の距離Ｌ１が、足首被覆部３における上記距離Ｌ２よりも広くなるようになされている。
【００３３】
この実施形態では、弾性糸９５は、ふくらはぎ被覆部２及び足首被覆部３においては、図２に示すように、コース編目列９４に沿って、即ち、周方向に沿って、編目を形成せずに上記編地本体９の編組織に挿入されるようにして、各コース編目列９４ごとに配設されて軸方向のウエール方向に弾性糸９５の列を形成している。従って、コース編目列９４の軸方向の列の数に対する弾性糸９５の列の数の割合は、１／１になっている。
【００３４】
一方、甲被覆部４、屈曲被覆部５、足先被覆部６、踵被覆部７、及び足裏被覆部８においては、図３に示すように、弾性糸９５は、上記足首被覆部３の場合と同様に、コース編目列９４に沿って、編目を形成せずに上記編地本体９の編組織に挿入されるようにして配設されているが、弾性糸９５の列が、コース編目列９４に対して軸方向の１列おきに形成されている。従って、この実施形態では、コース編目列９４の軸方向の列の数に対する弾性糸９５の列の数の割合は、１／２になっており、上記足首被覆部３におけるその割合よりも小さいものにされ、上記屈曲被覆部５における隣接する２つの列の弾性糸９５同士の距離Ｌ１が足首被覆部３における上記距離Ｌ２よりも広くなっている。
【００３５】
この屈曲被覆部５におけるコース編目列９４の軸方向の列の数に対する弾性糸９５の列の数の割合を、足首被覆部３におけるコース編目列９４の軸方向の列の数に対する弾性糸９５の列の数の割合よりも少なくして、上記屈曲被覆部５における隣接する２つの列の弾性糸９５同士の距離Ｌ１が足首被覆部３における上記距離Ｌ２よりも広くなるようにすることは、編地の弾性糸９５による編地弾性力を弱くさせる編地弾性力弱化手段に該当する。
【００３６】
又、この実施形態では、靴下は、足首被覆部３からふくらはぎ被覆部２側に向かって漸次編地の弾性糸による編地弾性力を減少させた弾力性靴下、換言すれば、足首被覆部３からふくらはぎ被覆部２側に向かって漸次着圧を減少させた弾力性靴下から構成されている。詳しくは、この実施形態では、ふくらはぎ被覆部２及び足首被覆部３は、ふくらはぎ被覆部２の上端側から足首被覆部３の下端側に行くに従って漸次引っ張り力が強くなるように弾性糸９５に引っ張り力をかけた状態に配設し、下側に行く程、着用時の皮膚にかかる圧力（着圧）が強くなるように、即ち、足首被覆部３からふくらはぎ被覆部２側に向かって漸次着圧が弱くなるように構成されている。これにより、足首被覆部３からふくらはぎ被覆部２にかけての血行を良くできるものにしている。
【００３７】
又、この実施形態では、踵被覆部７は、７８デシテックスのナイロン糸を２本縒りあわせて形成したもの（７８ｄｔ／２）を用いて、図示しないがコンベ編みにより形成されている。
【００３８】
そして、この踵被覆部７は、屈曲被覆部５を編成する途中で編成されている。尚、周方向に踵被覆部７と隣接する屈曲被覆部５の部分における弾性糸９５は、踵被覆部７で折り返されるようにして配設されている。
【００３９】
次に、足首被覆部３と屈曲被覆部５とについての着圧測定を行ったので、説明する。この着圧測定は、足首及び屈曲部に夫々、エアパック式圧力センサーを取り付けた足型を用い、その足型に、本発明の靴下を装着させて、その装着時の足首被覆部３と屈曲被覆部５との夫々からエアパック式圧力センサーにかかる圧力を、着圧として測定することによって行なった。
【００４０】
又、本発明の靴下として、ＤＣＹ２３５ｄｔ／１３ｄｔ／１３ｄｔの弾性糸９５を用いたもの（上記実施形態のものと全て同じもの、以下、本実施例ＮＯ１）と、ＤＣＹ３１０ｄｔ／１３ｄｔ／１３ｄｔの弾性糸９５を用いたもの（上記実施形態のものと弾性糸９５だけが異なるもの、以下、本実施例ＮＯ２）との２つのものを製作し、夫々について行なった。
【００４１】
又、本実施例ＮＯ１の比較例として、ＤＣＹ２３５ｄｔ／１３ｄｔ／１３ｄｔの同じ弾性糸９５を用い、屈曲被覆部５についても、足首被覆部３と同様に、各コース編目列ごとに弾性糸９５の列を形成するように弾性糸９５を配設したもの（編地弾性力弱化手段を用いないもの、以下、比較例ＮＯ１）を製作し、本実施例ＮＯ１と同条件で着圧測定を行なった。
【００４２】
また、本実施例ＮＯ２の比較例として、ＤＣＹ３１０ｄｔ／１３ｄｔ／１３ｄｔの同じ弾性糸９５を用い、屈曲被覆部５に、足首被覆部３と同様に、各コース編目列ごとに弾性糸９５の列を形成するように弾性糸９５を配設したもの（編地弾性力弱化手段を用いないもの、以下、比較例ＮＯ２）を製作し、本実施例ＮＯ２と同条件で着圧測定を行なった。
【００４３】
測定結果は、図４に示すように、本実施例ＮＯ１では、屈曲被覆部５が足首被覆部３よりも着圧が低いのに対し、比較例ＮＯ１では、足首被覆部３が屈曲被覆部５よりも着圧が低かった。
【００４４】
尚、本実施例ＮＯ１では、足型に装着した際、屈曲被覆部５は、ほとんど皺の発生が見られなかった。また、足首被覆部３と屈曲被覆部５とは、目視で区別し難く、屈曲被覆部５だけを異なる編み方で編成した従来のもののように見栄えが悪くなるようなことがなかった。
【００４５】
同様に、本実施例ＮＯ２では、屈曲被覆部５が足首被覆部３よりも着圧が低いのに対し、比較例ＮＯ２では、足首被覆部３が屈曲被覆部５よりも着圧が低かった。
【００４６】
尚、本実施例ＮＯ２においても、足型に装着した際、屈曲被覆部５は、ほとんど皺の発生が見られなかった。また、足首被覆部３と屈曲被覆部５とは、目視で区別し難いものであった。
【００４７】
尚、上記実施形態では、編地弾性力弱化手段は、足首被覆部３に弾性糸９５を、各コース編目列９４ごとに配設し、屈曲被覆部５に弾性糸９５を、コース編目列９４の軸方向の１列おきごとに配設するようにしているが、屈曲被覆部５におけるコース編目列９４の軸方向の列の数に対する弾性糸９５の列の数の割合が、足首被覆部におけるその割合よりも小さくなるように構成するようにする。或いは、足首被覆部にだけ弾性糸９５を配設して屈曲被覆部５に弾性糸９５を配設しないようにしてもよい。この場合は、屈曲被覆部５における編地の弾性糸による編地弾性力が全く無い場合である。従って、特許請求の範囲でいう「編地弾性力弱化手段によって前記足首被覆部よりも前記編地弾性力が弱くなる」には、屈曲被覆部に弾性糸を配設しないで屈曲被覆部の編地弾性力を全く無い状態にする場合も含む。
【００４８】
又、屈曲被覆部５における上記割合を足首被覆部における上記割合よりも小さくする場合において、例えば足首被覆部３に弾性糸９５を、各コース編目列９４ごとに弾性糸９５を配設し、一方、屈曲被覆部５に弾性糸９５を、コース編目列９４の軸方向の２列おき（２列飛ばし）又は３列おき（３列飛ばし）に配設し、或いは、コース編目列９４の１から２以上の適宜な数の列おきに（軸方向の列を適宜な数だけ飛ばすようにして）配設する。
【００４９】
又、足首被覆部３に弾性糸９５を、コース編目列９４の１から２以上の適宜な数の列おきに配設し、屈曲被覆部５に弾性糸９５を、足首被覆部３の弾性糸９５の列よりも多くの数の列おきに（多くの数の列を飛ばして）配設するようにする。
【００５０】
又、編地弾性力弱化手段は、足首被覆部３と屈曲被覆部５とのコース編目列９４の軸方向の列の数に対する弾性糸９５の列の数の割合による形態のものに限らず、強弾性糸と、その強弾性糸が有する糸弾性力よりも弱い糸弾性力を有する弱弾性糸、例えば強弾性糸と同じ素材のもので太さが細いもの、或いは、太さが同じで強弾性糸よりも弾性が小さい素材のものを用い、足首被覆部３に強弾性糸を、屈曲被覆部５に弱弾性糸を、夫々、配設するように構成する。
【００５１】
強弾性糸と弱弾性糸とを用いる場合において、屈曲被覆部５における上記割合を足首被覆部における上記割合と同じにしてもよいが、小さくするようにしてもよい。
【００５２】
又、編地弾性力弱化手段として、屈曲被覆部の弾性糸を、足首被覆部における弾性糸の引っ張り力よりも弱くなるように引っ張り力をかけた状態にするようにして編地の弾性糸による編地弾性力を弱くさせるようにしても良い。ただし、編地弾性力弱化手段を、このように構成した場合、着用時に屈曲被覆部がしわ状にならない程には編地弾性力を弱く（低く）し難いので、上述のように、屈曲被覆部におけるコース編目列９４の軸方向の列の数に対する弾性糸の列の数の割合を、足首被覆部におけるその割合よりも小さくなるようにするのが好ましい。
【００５３】
また、上記実施形態では、足首被覆部３を足首の略全体を覆う大きさのものから構成されているが、この形態のものに限らず、適宜変更できる。例えば足首被覆部３を、足首の一部、例えば足首の上部側だけを覆うものにする。
【００５４】
又、屈曲被覆部５についても、上記実施形態では、踵被覆部７を囲むように踵被覆部７の全周部に配設された筒状のものから構成しているが、この形態のものに限らず、適宜変更できる。
【００５５】
例えば図１中に２点鎖線で区画形成した部分のように、足首被覆部３と甲被覆部４との間に、足の屈曲部だけを覆う部分を屈曲被覆部５０としてもよい。又、屈曲被覆部を、足の屈曲部とともに、足首の上部側と甲の一部との一方又は両方を覆うものでもよい。
【００５６】
また、上記実施形態では、踵被覆部７を、足首被覆部３等の他の部分と異なる編み方で形成しているが、例えば足首被覆部３等の他の部分と同じ編み方で形成し、即ち、ふくらはぎ被覆部２から足先被覆部６までの全体をインレイ編によって形成するようにしてもよく、適宜変更できる。
【００５７】
又、上記実施形態では、靴下を、弾力性靴下から構成したが、この形態のものに限らず、適宜変更でき、例えば足首被覆部３からふくらはぎ被覆部２までほぼ同じ弾性を有するものに適応してもよい。
【００５８】
また、上記実施形態では、靴下を、上部にふくらはぎ被覆部２を有するものから構成しているが、例えばふくらはぎ被覆部２を有しない足首被覆部３までのもの、又は、ふくらはぎ被覆部２の上部側にふくらはぎ被覆部、更には大腿被覆部を有するもの、更には、腰までを覆うパンティストッキング、タイツ或いは、足先被覆部６を有しないもの等でも良く、適宜変更できる。
【符号の説明】
【００５９】
１    靴下
３    足首被覆部
５、５０    屈曲被覆部
９    編地本体
９１    ベース糸
９３    編目
９４    コース編目列
９５    弾性糸
【図１】
2011094250.tif 000003
【図２】
2011094250.tif 000004
【図３】
2011094250.tif 000005
【図４】
2011094250.tif 000006